(57)【要約】【課題】設置が簡単であり、しかも異常時には通報先に確実に通報できる介護通報装置を提供する。【解決手段】老人が普段使用する居間の様子が広角カメラ５により撮影される一方で、一日の中で老人が居間に存在する時間帯と、夜間の照明の点消灯に伴なう居間の明暗の時間帯が、予めパターン記憶部61に記憶登録される。そして、老人が居間に存在する時間帯であるにも拘らず、広角カメラ５から取得する撮影情報の中に、老人の存在が確認できない場合や、夜間に照明が点灯している時間帯であるにも拘らず、撮影情報では照明が点灯していない場合には、何らかの異変が生じたと判断して、通報先に通報信号が自動的に出力される。【選択図】図５
2006260524.tif 000002
【特許請求の範囲】
【請求項１】
居住者の出入りする空間を撮影する撮影手段と、
前記居住者の生活行動パターンとして、前記居住者が前記空間に存在する時間帯および前記空間の明暗の時間帯を記憶する記憶手段と、
前記撮影手段から得られる撮影情報を分析し、この分析結果が前記記憶手段に記憶した生活行動パターンと異なる場合に、通信手段を介して通報先に通報信号を出力する監視分析手段と、を備えたことを特徴とする介護通報装置。
【請求項２】
居住者の出入りする空間を撮影する撮影手段と、
前記撮影手段から得られる撮影情報により、前記空間における変化の程度をある時間帯の度数として算出する度数算出手段と、
前記居住者の生活行動パターンとして、一定期間に亘る前記時間帯の度数を記憶する度数記憶手段と、
前記度数記憶手段から読み出した前記一定期間に亘る時間帯の度数の平均値を算出する平均値算出手段と、
重要な監視の時間帯であるほど高い値に設定された重み付け値を、各々の前記時間帯毎に記憶する重み付け値記憶手段と、
前記度数算出手段がある時間帯の度数を算出する毎に、この度数算出手段で得たある時間帯の度数が、前記平均値算出手段で得た同じ時間帯の前記平均値を中心とした正常範囲から逸れていれば、前記重み付け値記憶手段から読み出した当該時間帯の重み付け値を累算し、この累算した値が閾値に達したら、通信手段を介して通報先に通報信号を出力する監視分析手段と、を備えたことを特徴とする介護通報装置。
【請求項３】
前記空間の音声情報を取得する音声入力手段をさらに備え、
前記度数算出手段は、前記撮影情報および前記音声情報により、前記空間における変化の程度をある時間帯の度数として算出するものであることを特徴とする請求項３記載の介護通報装置。
【請求項４】
前記度数算出手段は、ある時間帯において新たな度数を算出する毎に、一定期間内にある最も古い度数を前記度数記憶手段から削除し、この新たな度数を前記度数記憶手段に書き込むものであることを特徴とするものである請求項２記載の介護通報装置。
【請求項５】
居住者の不在時に操作する操作手段と、前記操作手段からの操作信号を受取ると、前記監視分析手段による動作を停止させ、前記撮影情報により動きを検知した場合は、前記通信手段を介して通報先に警報信号を出力する警報出力手段と、を備えたことを特徴とする請求項１〜３のいずれか一つに記載の介護通報装置。
【発明の詳細な説明】
【技術分野】
【０００１】
本発明は、一人暮らしの老人などの生活状態を監視し、何らかの異常（家庭内遭難）が発生した場合に、通信手段を介して所定の連絡先へ異常が発生した旨の通報を自動的に行う介護通報装置に関する。
【背景技術】
【０００２】
従来、室内で一人暮らしをする老人向けの介護通報装置としては、例えば住居内に設置した緊急連絡用のボタンや、老人が身につけるペンダントのボタンを操作すると、予め設定した連絡先に通信手段を介して通報を行なうものが知られている。しかし、これは居住者である老人が異常を自覚してボタン操作を行なわなければ全く機能しないものであり、実際には緊急時に正しく通報が行なわれない可能性がある。
【０００３】
一方、例えば特許文献１には、テレビ，水道の蛇口，ガスレンジ，ドアノブなどの居住者の生活行動を検出できる部位にセンサを設け、予め設定した時間内に変化がない場合には、居住者の生活行動に何らかの異常が発生したものとして、通信回線を介して予め指定された通報先に自動的に通報を行なうものが提案されている。
【特許文献１】特開２０００−１１２８２号公報
【発明の開示】
【発明が解決しようとする課題】
【０００４】
上記特許文献１にある介護通報装置は、被監視者自身の意識に依らず、生活状態を監視するセンサによって、緊急時に正しく通報を行なえる利点がある。しかし、装置を稼動させる上で、テレビやドアノブなどの既存の施設に手を加えるのは大変であり、また各センサから装置本体に至る配線も必要になって、その設置が大掛かりなものになる。
【０００５】
そこで、本発明は上記問題点に鑑み、設置が簡単であり、しかも異常時には通報先に確実に通報できる介護通報装置を提供することにある。
【課題を解決するための手段】
【０００６】
本発明の請求項１の介護通報装置は、居住者の出入りする空間を撮影する撮影手段と、前記居住者の生活行動パターンとして、前記居住者が前記空間に存在する時間帯および前記空間の明暗の時間帯を記憶する記憶手段と、前記撮影手段から得られる撮影情報を分析し、この分析結果が前記記憶手段に記憶した生活行動パターンと異なる場合に、通信手段を介して通報先に通報信号を出力する監視分析手段と、を備えて構成される。
【０００７】
この場合、居住者の出入りする空間として、例えば老人が普段使用する居間の様子が撮影手段により撮影される一方で、一日の中で老人が居間に存在する時間帯と、夜間の照明の点消灯に伴なう居間の明暗の時間帯が、予め記憶手段に記憶登録される。そして、もし老人が居間に存在する時間帯であるにも拘らず、撮影手段から取得する撮影情報の中に、老人の存在が確認できない場合や、夜間に照明が点灯している時間帯であるにも拘らず、撮影情報では照明が点灯していない場合には、老人が動けない状況になったなどの何らかの異変が生じたと判断して、通報先に通報信号が自動的に出力される。このように、居住者の出入りする空間に撮影手段を向けるだけで、居住者が普段の生活行動パターンを逸脱した時点で、自動的に通報先に通報を行なうことができ、居住者の家庭内遭難を防ぐことができる。
【０００８】
本発明の請求項２の介護通報装置は、居住者の出入りする空間を撮影する撮影手段と、前記撮影手段から得られる撮影情報により、前記空間における変化の程度をある時間帯の度数として算出する度数算出手段と、前記居住者の生活行動パターンとして、一定期間に亘る前記時間帯の度数を記憶する度数記憶手段と、前記度数記憶手段から読み出した前記一定期間に亘る時間帯の度数の平均値を算出する平均値算出手段と、重要な監視の時間帯であるほど高い値に設定された重み付け値を、各々の前記時間帯毎に記憶する重み付け値記憶手段と、前記度数算出手段がある時間帯の度数を算出する毎に、この度数算出手段で得たある時間帯の度数が、前記平均値算出手段で得た同じ時間帯の前記平均値を中心とした正常範囲から逸れていれば、前記重み付け値記憶手段から読み出した当該時間帯の重み付け値を累算し、この累算した値が閾値に達したら、通信手段を介して通報先に通報信号を出力する監視分析手段と、を備えている。
【０００９】
この場合も、居住者の出入りする空間に撮影手段を向けるだけで、居住者が普段の生活行動パターンを逸脱した時点で、自動的に通報先に通報を行なうことができ、居住者の家庭内遭難を防ぐことができる。
【００１０】
また、各時間帯毎に異常の兆候があれば、その時間帯における重み付け値を累算して行き、この累算した値が一定の発令点数に達した時点で、実際に異常が発生したものと判断して通報信号の出力を行なうので、例えば短時間の外出などで、特定の時間帯に異常の兆候が見られた場合でも、すぐに通報信号が出力されるようなことはなく、誤動作の通報を大幅に減らすことができる。しかも、監視の重要度の高い時間帯であるほど、重み付け値を大きく設定するので、異常と判断する見かけ上の時間が短縮して、異常を早期に発見することができ、逆に就寝時や外出時など、監視の重要度の低い時間帯では、重み付け値を小さく設定して、異常と判断する見かけ上の時間を長くするので、この点でも誤動作の通報を相乗的に減らすことができる。
【００１１】
本発明の請求項３の介護通報装置は、前記空間の音声情報を取得する音声入力手段をさらに備え、前記度数算出手段が、前記撮影情報および前記音声情報により、前記空間における変化の程度をある時間帯の度数として算出するものであることを特徴とする。
【００１２】
こうすると、空間内の撮影情報のみならず、空間内の音声情報に基づいて、異常の発生の有無を正しく判断することができる。
【００１３】
本発明の請求項４の介護通報装置は、ある時間帯において新たな度数を算出する毎に、一定期間内にある最も古い度数を前記度数記憶手段から削除し、この新たな度数を前記度数記憶手段に書き込むように、前記度数算出手段を構成している。
【００１４】
こうすると、居住者の生活行動パターンとなる一定期間に亘る度数の値を、常に季節の移り変わりなどを考慮した最新の実情に合ったものに保持できる。
【００１５】
本発明の請求項５の介護通報装置は、居住者の不在時に操作する操作手段と、前記操作手段からの操作信号を受取ると、前記監視分析手段による動作を停止させ、前記撮影情報により動きを検知した場合は、前記通信手段を介して通報先に警報信号を出力する警報出力手段と、を備えている。
【００１６】
外出などで老人が居間から暫く離れる場合は、不在である旨を伝えるために操作手段を操作する。これにより監視分析手段による動作が停止するので、不在時に不必要な通報信号が通報先に出力されるのを防止できる。また、不在時に居間で不審な動きがあった場合は、その動きを撮影手段が捕えて、警報出力手段により通報先に警報信号を出力する。従って、本装置を家庭内遭難の監視機能としてだけではなく、防犯機能として利用することができる。
【発明の効果】
【００１７】
請求項１の介護通報装置は、設置が簡単であり、居住者の出入りする空間に撮影手段を向けるだけで、異常時には通報先に確実に通報を行なうことができる。
【００１８】
請求項２の介護通報装置は、設置が簡単であり、居住者の出入りする空間に撮影手段を向けるだけで、異常時には通報先に確実に通報を行なうことができる。また、誤動作の通報を大幅に減らすことができる。
【００１９】
本発明の請求項３の介護通報装置は、空間内の撮影情報のみならず、空間内の音声情報に基づいて、異常の発生の有無を正しく判断することができる。
【００２０】
請求項４の介護通報装置は、居住者の生活行動パターンとなる一定期間に亘る度数の値を、最新の実情に合ったものに保持できる。
【００２１】
請求項５の介護通報装置は、不在時に不必要な通報信号が通報先に出力されるのを防止できると共に、空間内で不審な動きがあった場合は、警報出力手段により通報先に警報信号を出力することができる。
【発明を実施するための最良の形態】
【００２２】
以下、添付図面に基づき、本発明における介護通報装置の一実施例を説明する。図１および図２は、本実施例で用いる介護通報装置１単体の外観構成を示したものであり、２は装置の本体外郭をなす縦長状の外装体、３は表面に透明なタッチパネルを配設した表示手段としてのＬＣＤ（液晶ディスプレイ）であり、このＬＣＤ３は外装体２の正面に形成した窓穴４に臨んで設けられている。前記外装体２の正面上部には、居住者の出入りする空間（例えば居間）に向けられた撮影手段としての広角カメラ５が一体的に配置される。この広角カメラ５は低照度でも居間内の動きを捕えられる機能を有し、居間の様々な方向（上下左右）を撮影できるように、外装体２の内部に設けられた旋回台６の上に載置されている。
【００２３】
７は音声入力手段としての集音マイクであり、居住者を含む居間内の音を電気信号に変換する。なお、ここに示す集音マイク７は、ケーブル８により外装体２と離れた位置に設けられ、高音量でもハウリングしない構造となっているが、外装体２と一体的に配置してもよい。前記広角カメラ５からの撮影情報と、集音マイク７からの音声情報は、後述する制御部12に取込まれてリアルタイムに処理されようになっている。９は音声出力手段としてのスピーカーであって、これは外装体２の下部に配置され、居住者に対し必要に応じて様々なメッセージを出力するものである。
【００２４】
外装体２の内部には、電源部11と制御部12がそれぞれ配置される。電源部11は例えばＡＣ１００Ｖなどの商用交流電圧を直流電圧に変換して、ＬＣＤ３や、広角カメラ５や、制御部12などの各部に供給するものである。また、制御手段に相当する制御部12はＬＣＤ３の後方にあって、広角カメラ５からの撮影情報と、集音マイク７からの音声情報を常時取込んで監視するものである。なお、制御部12の機能構成については、後ほど詳しく説明する。
【００２５】
また、15は居住者である老人が携帯する例えば首掛け式のペンダントである。このペンダント15は外装体２と非連結状態に設けられ、当該ペンダント15に設けた緊急ボタン16を操作すると、無線による緊急呼出し信号が外装体２に向けて送信されるようになっている。
【００２６】
図３は、上記介護通報装置１を、通信手段であるインターネット網18に接続する端末として用いる場合の構成を示したものである。ここにある介護システムは、一乃至複数の介護通報装置１と、センター装置であるセンターサーバ21とをインターネット網18で相互に接続することで構成され、必要に応じて、監視者またはヘルパーの自宅などに設置された一乃至複数の通報先端末22がこれに付加される。介護通報装置１は、後述のように制御部12からインターネット網18を介して通報信号や警報信号を出力するが、こうした通報信号や警報信号の通報先となるのが、センターサーバ21や通報先端末22である。
【００２７】
センターサーバ21は、いわゆるパーソナルコンピュータの形態を有し、周知のように操作手段であるキーボード24やマウス25と、表示手段であるＴＶモニタ26と、インターネット網18に接続可能なモデムを内蔵する制御本体27とにより構成される。勿論、別な形態でセンター装置を構成しても構わない。また、遠隔地にある介護通報装置１と双方向通信を可能にする通信手段としては、インターネット網18以外のものを使用してもよい。
【００２８】
通報先端末22は、本体外郭をなす縦長状の外装体32に、透明なタッチパネルを表面に配設した表示手段としてのＬＣＤ33と、旋回可能な撮影手段としての広角カメラ35と、音声出力手段であるスピーカー39を備えている。これらの各部は、介護通報装置１のＬＣＤ３，広角カメラ５，およびスピーカー９と同じ部品を使用している。但し、ここでの通報先端末22は、介護通報装置１との画像および音声による通話（テレビ電話）を行なうために設けられているので、介護通報装置１のような集音マイク７ではなく、通話機能を有する電話機37が代わりに設置されている。
【００２９】
次に、被観察者である老人の生活空間に置かれる介護通報装置１の電気的な構成について、図４を参照しながら説明する。同図において、41は前記制御部12に設けられた処理装置で、この処理装置41にはハードウェア的な構成として、広角カメラ５や前記インターネット網18につながるＬＡＮ（Local Area Network）40を通じて送られる画像情報を処理する画像処理部42と、集音マイク７やＬＡＮ40を通じて送られてくる音声信号を処理する音声処理部43と、広角カメラ５からの画像情報を、通報先である通報先端末22にＬＡＮ40およびインターネット網18を通じて画像データに変換して出力する画像出力部44と、スピーカー９に適切な音量で音声データを出力する音声制御部45と、広角カメラ５を載置する旋回台６に動作信号を供給して広角カメラ５を任意の方向に向けるカメラ制御部46と、必要に応じてＬＣＤ３に適切な画像データを出力するＬＣＤ制御部47と、処理装置41を所定の手順で動作させるためのプログラムや、居住者の生活行動パターンなどを記憶する記憶装置48と、通報先端末22との通話を確立するための通話制御部49と、符号化／復号化手段を含むＬＡＮ制御部50とにより構成される。また、処理装置41には、ＬＣＤ３の表面にあるタッチパネル52と、前記ワイヤレス式のペンダント15からの緊急呼出し信号を受信するアンテナ53を備えた無線受信部54がそれぞれ接続され、タッチパネル52からの操作信号と、無線受信部54からの緊急呼出し信号を受け付けるようになっている。
【００３０】
図５は、前記処理装置41の特に機能的な構成を示したものである。61はこの老人が監視対象となる居間に存在する時間帯や、特に夜間において老人が居間で照明を点消灯する時間帯などの老人の生活行動パターンを記憶するパターン記憶部である。このパターン記憶部61は、前記記憶装置48のデータ領域に対応して設けられており、予めタッチパネル52などからの入力により、個々の生活行動パターンが記憶格納されている。62は、広角カメラ５から得られる撮影情報を解析して、人間の存在および照明状態を刻々と分析し、この分析結果が記憶手段であるパターン記憶部61に記憶した生活行動パターンと大きく異なる場合に、インターネット網18を通じて通報先であるセンターサーバ21に通報信号を出力する監視分析手段としてのリズム監視手段である。このリズム監視手段62は、広角カメラ５からの撮影情報だけでなく、集音マイク７から出力される音声情報をも解析し、例えばパターン記憶部61に記憶される生活行動パターンでは、老人が居間に存在しない時間帯であるにも拘らず、通常よりも大きな音声レベルや特異な周波数帯の音声情報（例えば、叫び声やガラスの割れる音など）が集音マイク７から出力された場合は、同様に通報信号を出力する機能を有している。
【００３１】
63は呼出し手段であり、これはタッチパネル52に設けた呼出し用の操作部に触れると動作し、インターネット網18を通じてセンターサーバ21に呼出し信号を出力すると共に、センターサーバ21と接続され登録されている専任担任者若しくはヘルパー宅の通報先端末22と、双方向の画像／音声通話を可能にするものである。このときの集音マイク７の感度や、スピーカー９の出力音量は予め記憶装置48に登録したレベルに設定される。但し、こうした集音マイク７の感度や、スピーカー９の出力音量の設定レベルは、相手の状況に応じてセンターサーバ21側で自由に変更できるようになっている。
【００３２】
64は緊急呼出し手段であり、これは前記ペンダント15に設けた緊急ボタン16を押動操作したり、タッチパネル52に設けた緊急呼出し用の操作部に触れると動作し、インターネット網18を通じて通報先であるセンターサーバ21に緊急呼出し信号が出力される。この場合にセンターサーバ21は、他の複数の介護通報装置１から呼出し信号が重複して送信されていても、ＴＶモニタ26などに最優先で告知を行なう機能を有する。これによりセンターサーバ21側では、緊急時の呼び出しに最優先で対応することが可能になる。また、緊急呼出し時には、集音マイク７の感度や、スピーカー９の出力音量は何れも最大レベルに設定される。センターサーバ21は緊急呼出し信号の発信元（老人）を特定して、自身のデータベースに記憶される登録者情報から、緊急連絡先や医者などの患者情報を取得し、これをＴＶモニタ26に表示する。
【００３３】
65は、例えばケアセンターなどへの宿泊などの長期外出時に、タッチパネル52に設けた外出用の操作部に触れると、この外出用の操作部からの操作信号を受けて、リズム監視手段62による生活行動パターンの監視動作を停止させ、操作信号を受け付けてから一定時間が経過した後で、広角カメラ５からの撮影情報により画像の部分的な変化を検知した場合や、不在時にはありえない大きな音声レベルや特異な周波数帯の音声情報が集音マイク７から出力された場合に、インターネット網18を介して通報先であるセンターサーバ21に警報信号を出力する警報出力手段としての外出監視手段である。なお、操作信号を受け付けてから一定時間が経過した後で、広角カメラ５や集音マイク７からの監視を行なう理由は、直ぐに監視を開始すると、居住者自身を感知して警報信号が出力されるからで、このようにすることで、誤検知なく確実に警報信号を出力できる。
【００３４】
66は、予め記憶装置48に設定した時間（例えば、毎日午前8：00）になると、ＬＣＤ３に人物が写り、スピーカー９からの音声メッセージ（例えば「おはようございます。お元気ですか？  確認ボタンを押してください。」など）で、タッチパネル52の安否確認用の操作部に入力を促すと共に、一定時間が経過しても安否確認用の操作部から操作信号が出力されない場合には、インターネット網18を介して通報先であるセンターサーバ21に安否不明信号を出力する定刻確認手段66である。
【００３５】
67は、センターサーバ21に予め登録してある定形文（例えば、「元気です」，「用事があります家に来て下さい」，「電話下さい」，など）を指定して、同じくセンターサーバ21に予め登録してある家族，親戚や知人などの連絡先にワンタッチで送信するためのメール送信手段である。このメール送信手段67は、他に食事や物品などの注文を行なう際にも使用するものである。
【００３６】
68は、タッチパネル52から老人の健康状態や各種バイタル（血圧など）に関する健康情報を入力すると、当該健康情報をセンターサーバ21に送信するバイタル送信手段である。センターサーバ21は、各介護通報装置１から送信される健康情報を収集して、登録者である老人個々の健康状態の推移を監視する。なお、本実施例のバイタル送信手段68は、ヘルパーなどが老人宅を巡回した時点で健康情報を入力できるように、予め利用者とパスワードが関連付けられて登録され、タッチパネルから入力した利用者名とパスワードが一致した場合にのみ、健康情報の入力を受付ける構成となっている。これにより、老人が不用意に健康情報を入力するのを防止できる。
【００３７】
次に、上記構成についてその作用を説明する。先ず、老人の家庭内遭難を防ぐ各機能の動作について、図６に示すフローチャートをもとに説明する。老人が生活空間としている居間などにおいて、インターネット網18に常時接続で繋がれたＬＡＮ40に介護通報装置１を接続し、この介護通報装置１に設けた電源コード（図示せず）をＡＣ１００Ｖのコンセントに差し込むと、電源部11から介護通報装置１の各部に所定の動作電圧が供給され、制御部12が起動する。ここでステップＳ１において、例えばタッチパネル52を利用して、一日の中で老人が居間にいる時間帯や、夜間に老人が居間の照明を点消灯する時間などを、老人の生活行動パターンとして入力すると、リズム監視手段62はこの入力した生活行動パターンをパターン記憶部61に記憶する（ステップＳ２）。また、ステップＳ３において、定刻確認手段66による音声メッセージの出力時間をタッチパネル52から入力すると、定刻確認手段66はその時間を記憶装置48のデータ領域に記憶する（ステップＳ４）。
【００３８】
上記ステップＳ１〜ステップＳ４の初期設定が完了すると、介護通報装置１の処理装置41は、後述する外出ボタン75の操作により、外出モードに設定されているか否かをステップＳ５で判断する。外出モードが解除されている場合は、被観察者である老人が家屋内にいるものとしてリズム監視手段62が動作し、ステップＳ６〜ステップＳ９の各手順が処理される。より具体的には、リズム監視手段62は一定時間毎に広角カメラ５の撮影角度を動かしながら、介護通報装置１を設置した部屋の人間の存在および照明状態を撮影情報として入力して常に監視する。そしてステップＳ６において、この監視結果がパターン記憶部61に記憶した生活行動パターンと異なる場合には、センターサーバ21に通報信号を出力する（ステップＳ７）。また、ここでのリズム監視手段62は、集音マイク７から出力される音声情報をも解析し、パターン記憶部61に記憶される生活行動パターンではありえない音声レベルの音声情報を受取った場合にも、センターサーバ21に同様の通報信号を出力する。
【００３９】
さらにステップＳ８では、内蔵するタイマにより計時した現在時刻が、記憶装置48に記憶されたメッセージの出力時間（例えば午前８：００）に一致したか否かを定刻確認手段66によって判断する。そして、現在時刻がメッセージの出力時間と一致したら、ステップＳ９においてスピーカー９から音声メッセージを出力する。図１２は、このときＬＣＤ３に表示される内容を示しているが、安否確認用の操作部である確認ボタン77と、この確認ボタン77の入力を促すメッセージ部78が、同じＬＣＤ３の表示部上にあらわれる。それと同時に、定刻確認手段66は、例えば「おはようございます、確認ボタンを押してください。」というような音声案内をスピーカー９から出力させる。定刻確認手段66は一定時間が経過しても応答がなく、確認ボタン77の操作が行なわれなかった場合に、センターサーバ21に対し自動的に通報信号を出力する。これにより、万一リズム監視手段62による生活行動パターンの監視で異常を発見できなかった場合でも、定刻確認手段66による毎日の安否確認により、老人などの家庭内遭難を確実に防ぐことができる。
【００４０】
通報信号を受取ったセンターサーバ21は、通報信号の発信元である介護通報装置１の広角カメラ５から撮像情報を取得し、ＴＶモニタ26に表示する。これにより、通報を受けた部屋の様子をセンターサーバ21側で把握でき、必要な処置を講ずることができる。一例としてセンターサーバ21は、被観察者の介護通報装置１と専任担任者若しくはヘルパー宅の通報先端末22とを関連付ける登録者情報を記憶手段（図示せず）に記憶しており、この登録者情報を基に、通報信号を発信した被観察者の介護通報装置１と特定の通報先端末22とを接続することができる。また、登録者情報には連絡先のメールアドレスも含まれており、通報信号を受けて指定された家族などに、通報があった旨のメールを送信することができる。
【００４１】
一方、前記ステップＳ５で外出モードに設定した場合は、リズム監視手段62に代わり外出監視手段65が一定時間後に動作し、広角カメラ５や集音マイク７による不法侵入の監視を開始する。そして、ステップＳ１１で外出監視手段65は、広角カメラ５からの撮影情報により画像の部分的な変化を検知した場合や、不在時にはありえない大きな音声レベルや特異な周波数帯の音声情報を集音マイク７から取得した場合に、スピーカー９から確認音声を出力すると共に、インターネット網18を介してセンターサーバ21に不法侵入が発生した旨の警報信号を出力する（ステップＳ１２）。センターサーバ21は、介護通報装置１の広角カメラ５を遠隔操作して、室内の状況を把握すると共に、必要な処置を直ちに講じる。なお、外出モードの設定時には、被観察者が不在なため、定刻確認手段66による安否確認を行なわないように構成している。
【００４２】
上記図６に示す一連の動作で、センターサーバ21や通報先端末22は任意に老人宅の介護通報装置１に接続して、状況の把握および音声および映像によるテレビ通話を行なうことが可能である。また、例えばＩＰ（Internet Protocol）電話や携帯電話からの操作により、介護通報装置１の広角カメラ５を直接操作する（撮影方向など）ことも可能である。図１３はテレビ電話機能を利用した通話中のＬＣＤ３を示すもので、81は介護通報装置１の広角カメラ５から取得した画像の表示部、82は通報先端末22の広角カメラ35から取得した画像の表示部である。なお、通話を中止したい場合には、中止用の操作部であるやめるボタン83を押せばよい。
【００４３】
また本実施例では、センターサーバ21に接続した介護通報装置１が個々にグローバルIPアドレスを取得することによるコスト負担を和らげるために、一定時間（例えば１時間）毎に介護通報装置１からセンターサーバ21に定期情報を通報し、その通報を受けた時点でセンターサーバ21から何か送りたい情報が有れば、該当する介護通報装置１に送信する機能をシステムとして備えている。センターサーバ21は、例えば送りたい情報とその情報の重要度を共に送信し、介護通報装置１は送られた情報が重要なものであれば、広角カメラ５から人の動きを感知した時点で、直ちにＬＣＤ３やスピーカー９からその重要な情報を強制的に出力する。一方、送られた情報の重要度がさほど高くない場合は、ＬＣＤ３に例えば「お知らせがあります」などのメッセージを表示して、老人がタッチパネル52によるボタン操作を行なった時に、情報の詳細内容をＬＣＤ３やスピーカー９から出力させる。このように、送られた情報の重要度に応じて出力の形態を変えるので、例えば就寝中にさほど重要でない情報が強制的に報知されるのを防ぐことができる。
【００４４】
また、介護通報装置１からセンターサーバ21に送られる定期情報によって、センターサーバ21は各介護通報装置１が正しく動作しているか否かを定期的に判断する。すなわち、ある介護通報装置１から定期情報が送られていなければ、その介護通報装置１は例えばＬＡＮ40への接続が外れたなどの不具合が発生していると判断できる。こうして、全ての介護通報装置１が正しくセンターサーバ21に接続できるように常時監視することで、介護通報装置１からの通報信号や警報信号をセンターサーバ21側で確実に受取ることが可能になる。
【００４５】
図７は、ＬＣＤ３に表示されるトップメニューの一形態を示し、ここからＬＣＤ３の表面上にあるタッチパネル52を押すことで、処理装置41の種々の機能を呼出すことができる。ここでは、ＬＣＤ３の表示機能と組み合わせて、呼出しボタン71，緊急呼出しボタン72，伝言ボタン73，注文ボタン74，外出ボタン75，およびバイタル送信手段68を動作させるためのバイタル入力ボタン76がそれぞれ配置される。このなかで、呼出し用の操作部である呼出しボタン71を押すと、処理装置41の呼出し手段63が動作して、図８に示すような呼出し中であることを示す表示がＬＣＤ３にあらわれる。それと同時に、呼出し手段63は、例えば「呼出し中です、少々お待ち下さい。」というような音声案内をスピーカー９から出力させる。なお、79は呼出し中の表示画面であらわれるとりけしボタンであり、このとりけしボタン79を押すと、センターサーバ21への呼出し動作が中断するようになっている。
【００４６】
そして、センターサーバ21への呼出しが完了すると、当該センターサーバ21は予め記憶されている登録者情報から、呼出しを受けた老人の専任担任者若しくはヘルパー宅の通報先端末22を特定し、その通報先端末22と介護通報装置１との通信を確立させる。後は、介護通報装置１と通報先端末22との間でテレビ電話による通話が可能になる。図１２は、そうした通話中の一例を示すＬＣＤ３の表示画面である。
【００４７】
一方、図９は、前記伝言ボタン73を操作した後のＬＣＤ３の表示画面を示したものである。同図において、ここではどのような要望があるのかを選択する要望選択手段として、用事ボタン85と、伝言ボタン86と、急用ボタン87と、注文ボタン88と、その他ボタン89が設けられると共に、要望を取消す場合に操作する取消し操作手段としてのやめるボタン90が設けられる。また、この表示と同時にメール送信手段67は、例えば「希望する内容を押してください。」というような音声案内をスピーカー９から出力させる。このように、老人が前記伝言ボタン73などを押して呼出しを要求すると、センターサーバ21からインターネット網18を通じて、どのような要望であるのかを介護通報装置１のＬＣＤ３上で問い合わせる。老人は上記要望選択手段のいずれか一つを押すだけでよく、センターサーバ21に簡単に要望を伝えることができる。
【００４８】
図１０は、前記用事ボタン85を押動操作したときにあらわれるＬＣＤ３の表示画面である。ここでは接続先すなわちお知らせ先を特定するための接続先選択手段として、家族ボタン91と、知人ボタン92と、親戚ボタン93が設けられると共に、接続先の選択を取消す場合に操作する取消し操作手段としてのやめるボタン90が設けられる。また、この表示と同時にメール送信手段67は、例えば「お知らせ先を押してください。」というような音声案内をスピーカー９から出力させる。このように、老人がどのような要望であるのかを例えば用事ボタン85を押して特定すると、センターサーバ21からインターネット網18を通じて、その要望を誰に伝えるのかを介護通報装置１のＬＣＤ３上で問い合わせる。老人は上記接続先選択手段のいずれか一つを押すだけでよく、センターサーバ21に簡単に接続先を伝えることができる。
【００４９】
図１１は、前記家族ボタン91を押動操作したときにあらわれるＬＣＤ３の表示画面である。この場合、家族にどのような用事を知らせたいのかを特定する用件選択手段として、「電話を下さい。」と表示された第１のボタン95と、「用事があるので、すぐ来て下さい。」と表示された第２のボタン96と、「用事があるので、今日来て下さい。」と表示された第３のボタン97と、「用事があるので、明日来て下さい。」と表示された第４のボタン98が設けられる。また、この表示と同時にメール送信手段67は、例えば「お知らせしたい事を押してください。」というような音声案内をスピーカー９から出力させる。このように、老人が誰に連絡したいのかを例えば家族ボタン91を押して特定すると、センターサーバ21からインターネット網18を通じて、どのような用件を伝えたいののかを介護通報装置１のＬＣＤ３上で問い合わせる。老人は上記用件選択手段のいずれか一つを押すだけでよく、センターサーバ21に簡単に接続先を伝えることができる。なお、上述の接続先（連絡先）や用件の内容は、センターサーバ21に予め登録されており、介護通報装置１からの操作によりその都度読み出されてＬＣＤ３上に表示されるようになっているが、介護通報装置１に登録して同様の機能を実現してもよい。
【００５０】
そして、例えば第１のボタン95を押すと、メール送信手段67からセンターサーバ21を介して、家族のメールアドレスに「電話を下さい。」というメールを自動配信する。なお、同様の内容をメールではなく電話で直接報知してもよい。
【００５１】
また、前記図７に示すトップメニューの画面で、緊急呼出しボタン72を操作すると、緊急呼出し手段64によってセンターサーバ21に緊急呼出し信号が出力される。なお、この緊急呼出し信号は、老人が携帯するペンダント15に設けた緊急ボタン16を押すことでも同様に出力される。この場合、センターサーバ21は、他の複数の介護通報装置１から呼出し信号が重複して送信されていても、緊急呼出し信号を受けた介護通報装置１との接続を最優先し、広角カメラ５からの撮像情報や集音マイク７からの音声情報を取得する。センターサーバ21のＴＶモニタ26には緊急呼出し信号の発信元（老人）に関連して、緊急連絡先や医者などの患者情報が表示されるので、直ちに電話での連絡を取るなど必要な処置を施すことができる。
【００５２】
以上のように、本実施例における介護通報装置１は、居住者（老人など）の出入りする空間（居間など）を撮影する撮影手段としての広角カメラ５と、居住者の生活行動パターンとして、居住者が空間に存在する時間帯および空間の明暗の時間帯を記憶する記憶手段としてのパターン記憶部61と、広角カメラ５から得られる撮影情報を分析し、この分析結果がパターン記憶部61に記憶した生活行動パターンと異なる場合に、通信手段であるインターネット網18やＬＡＮ40を介して通報先に通報信号を出力する監視分析手段してのリズム監視手段62と、を備えて構成される。
【００５３】
この場合、居住者の出入りする空間として、例えば老人が普段使用する居間の様子が広角カメラ５により撮影される一方で、一日の中で老人が居間に存在する時間帯と、夜間の照明の点消灯に伴なう居間の明暗の時間帯が、予めパターン記憶部61に記憶登録される。そして、もし老人が居間に存在する時間帯であるにも拘らず、広角カメラ５から取得する撮影情報の中に、老人の存在が確認できない場合や、夜間に照明が点灯している時間帯であるにも拘らず、撮影情報では照明が点灯していない場合には、老人が動けない状況になったなどの何らかの異変が生じたと判断して、通報先に通報信号が自動的に出力される。このように、居住者の出入りする空間に広角カメラ５を向けるだけで、居住者が普段の生活行動パターンを逸脱した時点で、自動的に通報先に通報を行なうことができ、居住者の家庭内遭難を防ぐことができる。
【００５４】
また本実施例では、居住者の不在時に操作する操作手段としての外出ボタン75と、この外出ボタン75からの操作信号を受取ると、リズム監視手段62による動作を停止させ、広角カメラ５により動きを検知した場合は、インターネット網18やＬＡＮ40を介して通報先に警報信号を出力する警報出力手段としての外出監視手段65と、を備えている。
【００５５】
外出などで老人が居間から暫く離れる場合は、不在である旨を伝えるために外出ボタン75を操作する。これによりリズム監視手段62による動作が停止するので、不在時に不必要な通報信号が通報先に出力されるのを防止できる。また、不在時に居間で不審な動きがあった場合は、その動きを広角カメラ５が捕えて、外出監視手段65により通報先に警報信号を出力する。従って、本装置を家庭内遭難の監視機能としてだけではなく、防犯機能として利用することができる。
【００５６】
次に、本発明における別な介護通報装置の変形例を説明する。なお、上記実施例と共通する構成には共通する符号を付し、共通する箇所の説明は重複を避けるため極力省略する。
【００５７】
図１４は、当該変形例の機能構成をあらわしたもので、この変形例は処理装置41の機能的な構成だけが上記実施例と異なり、その他の構成は上記実施例と共通してる。そのため図１４では、処理装置41以外についての各構成の記載を省略している。ここでの処理装置41は、前記実施例のパターン記憶部61やリズム監視手段62に代わり、度数算出手段102と、度数記憶手段103と、平均値算出手段104と、重み付け記憶手段105と、監視分析手段106と、をそれぞれ備えている。なお、処理装置41のその他の構成である呼出し手段63，緊急呼出し手段64，外出監視手段65，定刻確認手段66，メール送信手段67，およびバイタル送信手段68は、上記実施例と共通している。
【００５８】
度数算出手段102は、広角カメラ５から得られる撮影情報や、集音マイク７から得られる音声情報により、照明の点消灯に伴なう居間の明暗や、被観察者の動きや、一定以上の音声レベルなど、一定の時間帯（例えば、午前６時から午前７時，午後５時から午後６時など）内に居間の撮影画像データや音声データに一定以上の変化が認められると、その毎にカウントを行なって度数を集計し、各時間帯毎に度数を算出するもので、ここで算出された最新の時間帯における度数のデータは、度数記憶手段103と監視分析手段106にそれぞれ出力される。
【００５９】
度数記憶手段103は、居住者の生活行動パターンとして、一定期間に亘る度数の各値を時間帯毎に記憶するものである。ここでいう一定期間とは、生活リズムに大きな変化が生じない例えば１０日程度とする。その理由は、一定期間を短く設定し過ぎると、通常とは異なる不規則な生活行動パターンが基準値として定められてしまい、逆に一定期間を長くし過ぎると、例えば季節により照明の点消灯の時間が変化しているにも拘らず、いつも同じ生活行動パターンが基準値として定められてしまい、実情に合わなくなるからである。したがって、一定期間を７日〜１４日の間に設定することは非常に重要である。
【００６０】
平均値算出手段104は、ある時間帯における一定期間に亘る各度数を度数記憶手段103から読み出し、この各度数の平均値を算出して監視分析手段106に出力するものである。
【００６１】
重み付け値記憶手段105は、度数記憶手段103と共に上記実施例における記憶装置48のデータ領域に対応して設けられている。この重み付け値記憶手段105は、監視の重要度に応じた重み付け値を、各時間帯毎に区画して記憶するもので、ここでの重み付け値は、重要な監視の時間帯であるほど高い値に設定されている。なお、この重み付け値は季節や監視対象などに応じて、適宜書換え変更してもよい。
【００６２】
監視分析手段は106は、度数算出手段102で算出したある時間帯における度数と、平均値算出手段104で得た同じ時間帯の平均値と、重み付け記憶手段105から読み出した同じ時間帯の重み付け値とから、通報先に通報信号を出力するか否かを判断するもので、具体的には、度数算出手段102が実測値としてある時間帯の度数を算出する毎に、この時間帯の度数が同じ時間帯の平均値を中心とした正常範囲から逸れていれば、重み付け値記憶手段105に記憶される同じ時間帯の重み付け値を累算して行き、この累算値が予め設定した閾値に達したら、インターネット網18を通じて通報先であるセンターサーバ21に通報信号を出力する機能を有する。なお、この累算した値は、通報信号を出力した時点、または決められた時間（例えば午後２時）になると、自動的に０にリセットされるようになっている。
【００６３】
次に、この変形例による作用を図１５のグラフに基づき説明する。なお、同図において、横軸は時間，縦軸は各時間帯毎の度数を示しており、ここでは午前６時から午後２時（１４時）までの前記平均値Ｘ０と、この平均値Ｘ０を中心とした正常範囲の上限値Ｘ１および下限値Ｘ２と、度数算出手段102で各時間帯毎に算出される最新の度数すなわち実測値Ｙと、をそれぞれ記している。
【００６４】
介護通報装置１が起動すると、処理装置41の度数算出手段102は、広角カメラ５から得られた撮影情報や、集音マイク７から得られた音声情報を基に、監視対象である居間の撮影画像データや音声データに一定以上の変化が認められたか否かを判断する。仮に、照明を点消灯したり、被観察者が動いたり、音声レベルが一定値以上に達するなどして、撮影画像データに一定以上の変化が認められれば、内蔵するカウント値を一つずつ加算する。そして、一定時間（この例では１時間）が経過したら、このカウント値を度数として度数記憶手段103と監視分析手段106にそれぞれ出力する。なお、この時点で度数算出手段102は、次の時間帯における度数を算出するために、カウント値を０にリセットする。こうして各時間帯毎に算出された度数の値が、図１５の実測値Ｙに示されている。
【００６５】
度数算出手段102は、各時間帯の度数を算出する毎に、それを度数記憶手段103に記憶させる。特にこの変形例では、一定期間である例えば１０日間に亘る度数の各値が、それぞれの時間帯毎に度数記憶手段103に記憶されており、度数算出手段102から最新の時間帯に関する度数が算出されると、その時間帯における最も古い度数の値（すなわち、１０日前の度数の値）が度数記憶手段103から削除され、代わりにこの最新の度数の値が度数記憶手段103に書き込まれる。こうすれば、居住者の生活行動パターンとなる一定期間に亘る度数の値を、常に最新の実情に合ったものに保持することができる。
【００６６】
こうして、その時間帯における度数の書き込みが終了すると、平均値算出手段104は、当該時間帯における一定期間に亘る度数の平均値を算出し、その値を監視分析手段106に出力する（図１５の平均値Ｘ０）。これを受けて監視分析手段106は、度数算出手段102で得たその時間帯の度数が、同じ時間帯の平均値を中心とした正常範囲（図１５の上限値Ｘ１と下限値Ｘ２の間）から逸れているか否かを判断する。なお、この正常範囲の幅は平均値の大きさや時間に応じて、適宜変更すればよい。
【００６７】
ここで、もし当該時間帯の度数が、同じ時間帯における平均値を中心とした正常範囲の中に入っていれば、重み付け値の累算は行なわないが、そうでなければ、その時間帯に対応する重み付け値を重み付け記憶手段105から読み出して、それまで累算した重み付け値に加算する。そして、度数算出手段102が新たな時間帯の度数を算出する毎に、監視分析手段106が上述した判断を行って、重み付け値を累算した値が予め設定した閾値に達すると、監視分析手段106はセンターサーバー21に通報信号を出力し、何らかの異常が発生したことを発令する。
【００６８】
上記一連の手順を、図１５に基づきさらに詳しく説明すると、各時間帯における重み付けの値は、前述のように重要な監視の時間帯であるほど高い値に設定されている。ここでは、特に被観察者が日常生活のために活動する割合が高く、したがってこの時間帯に撮影画像データや音声データに何も変化がない場合に、異常が発生している確率が高いと推測される午前７時〜午前８時と、午前８時〜午前９時の時間帯に、最も高い値の重み付け値（＝７）を与え、次に被観察者が日常生活のために活動する割合の高い午前５時〜午前６時と、午前６時〜午前７時と、午前９時〜午前１０時の時間帯に、この活動の度合いに対応した重み付け値（＝５）を与え、同様に他の午前１０時〜午前１１時と、午前１１時〜午後０時にも、活動の度合いに対応した重み付け値（＝３、または＝１）をそれぞれ与える。逆に、被観察者が外出している可能性が高く、撮影画像データや音声データに何も変化がない確率の高い午後０時〜午後１時と、午前１時〜午後２時は、重み付け値を０にして監視対象から外すようにしている。
【００６９】
また、図１５に示す居住者の平均的な生活行動パターンの指標となる平均値は、過去１０日間における撮影情報から取得した実際の居間の変化の度合いに基づいて算出される。これにより居住者個々の生活行動パターンに対応して、基準となる平均値を最適なものにすることができる。しかもこの平均値を算出するのに必要な各時間帯毎の度数は、最新の１０日間のものだけが度数記憶手段103に記憶されており、メモリ容量を必要以上に増加させずに済むと共に、季節などの要因で刻々と変化する生活行動パターンに対し、最適な平均値を与えることができる。
【００７０】
そしてこの図１５では、午前５時〜午前６時と、午前６時〜午前７時の時間帯で、度数算出手段102で得られた各時間帯の度数が、同じ時間帯の平均値を中心とした正常範囲に何れも入っている。したがって、この場合は居住者が通常の生活行動パターンで活動しているものと判断して、重み付け値の累算を行わない。
【００７１】
一方、午前７時〜午前８時以降の時間帯は、午前１１時〜午後０時に至るまで、度数算出手段102で得られた各時間帯の度数が、同じ時間帯の平均値を中心とした正常範囲から連続して逸れていて、特に午前９時〜午前１０時の時間帯以降は、撮影画像データに殆ど変化が現れない状態になっている。こうなると、監視分析手段は106は何らかの異常の兆候があるものとして、各時間帯毎の重み付け値を累算して行き、午前１０時〜午前１１時の時間帯が終了した時点で、この累算した値が予め設定した発令点数（閾値）に到達すると、異常が起きたことを発令する。
【００７２】
このように本変形例では、撮影手段としての広角カメラ５と、広角カメラ５から得られる撮影情報により、空間である居間における変化の程度を、ある時間帯の度数として算出する度数算出手段102と、居住者の生活行動パターンとして、一定期間に亘る時間帯毎の度数を記憶する度数記憶手段103と、この度数記憶手段103から読み出した一定期間に亘る時間帯の度数の平均値を算出する平均値算出手段104と、重要な監視の時間帯であるほど高い値に設定された重み付け値を、各々の時間帯毎に記憶する重み付け値記憶手段105と、度数算出手段102がある時間帯の度数を算出する毎に、この度数算出手段102で得たある時間帯の度数が、平均値算出手段104で得た同じ時間帯の平均値を中心とした正常範囲から逸れていれば、重み付け値記憶手段105から読み出した当該時間帯の重み付け値を累算し、この累算した値が閾値に達したら、インターネット網18やＬＡＮ40を介して通報先に通報信号を出力する監視分析手段106と、を備えている。
【００７３】
この場合も、居住者の出入りする空間に広角カメラ５を向けるだけで、居住者が普段の生活行動パターンを逸脱した時点で、自動的に通報先に通報を行なうことができ、居住者の家庭内遭難を防ぐことができる。
【００７４】
また特にこの変形例では、各時間帯毎に異常の兆候があれば、その時間帯における重み付け値を累算して行き、この累算した値が一定の発令点数に達した時点で、実際に異常が発生したものと判断して通報信号の出力を行なうので、例えば短時間の外出などで、特定の時間帯に異常の兆候が見られた場合でも、すぐに通報信号が出力されるようなことはなく、誤動作の通報を大幅に減らすことができる。しかも、監視の重要度の高い時間帯であるほど、重み付け値を大きく設定するので、異常と判断する見かけ上の時間が短縮して、異常を早期に発見することができ、逆に就寝時や外出時など、監視の重要度の低い時間帯では、重み付け値を小さく設定して、異常と判断する見かけ上の時間を長くするので、この点でも誤動作の通報を相乗的に減らすことができる。
【００７５】
また本実施例では、空間の音声情報を取得する音声入力手段としての集音マイク７をさらに備え、この集音マイク７で得た音声情報と、広角カメラ５で得た撮影情報とにより、度数算出手段102が空間における変化の程度を、ある時間帯の度数として算出するように構成している。こうすると、空間内の撮影情報のみならず、空間内の音声情報に基づいて、異常の発生の有無を正しく判断することができる。
【００７６】
さらに、この変形例での度数算出手段102は、ある時間帯において新たな度数を算出する毎に、一定期間内にある最も古い度数を度数記憶手段103から削除し、この新たな度数を度数記憶手段103に書き込む構成を有している。
【００７７】
こうすると、居住者の生活行動パターンとなる一定期間に亘る度数の値を、常に季節の移り変わりなどを考慮した最新の実情に合ったものに保持することができる。
【００７８】
なお、それ以外の動作については、上記実施例と共通することは云うまでもない。
【００７９】
本発明は上記実施例に限定されるものではなく、本発明の要旨の範囲において種々の変形実施が可能である。例えば、ＬＣＤ３に表示される内容は、図７〜図１３に示すものに限られない。また、タッチパネル52を用いず、複数の押し釦式スイッチにより同様の機能を実現してもよい。さらに、度数算出手段102は、撮影情報および音声情報の何れか一方に基づいて、度数の算出を行なってもよく、撮影情報と音声情報のそれぞれについて、独自に異常の判断を行なうように構成してもよい。
【図面の簡単な説明】
【００８０】
【図１】本発明の一実施例を示す介護通報装置の正面図である。
【図２】同上、図１に示す介護通報装置の左側面図である。
【図３】同上、介護通報装置を含む介護システムの全体構成を示した概略図である。
【図４】同上、介護通報装置の電気的構成を示すブロック図である。
【図５】同上、介護通報装置の機能構成を示すブロック図である。
【図６】同上、動作手順を示すフローチャートである。
【図７】同上、トップメニューの一形態を示すＬＣＤの正面図である。
【図８】同上、センターサーバへの呼出し中のときに表示されるＬＣＤの正面図である。
【図９】同上、センターサーバへの呼出しが完了したときに表示されるＬＣＤの正面図である。
【図１０】同上、用事ボタンを押動操作したときに表示されるＬＣＤの正面図である。
【図１１】同上、家族ボタンを押動操作したときにあらわれるＬＣＤの正面図である。
【図１２】同上、現在時刻がメッセージの出力時間と一致した時点でのＬＣＤの正面図である。
【図１３】同上、テレビ電話機能を利用した通話中のＬＣＤの正面図である。
【図１４】別な変形例における介護通報装置の機能構成を示すブロック図である。
【図１５】変形例における異常の判断方法を説明するグラフである。
【符号の説明】
【００８１】
５  広角カメラ（撮影手段）
７  集音マイク（音声入力手段）
18  インターネット網（通信手段）
40  ＬＡＮ（通信手段）
61  パターン記憶部（記憶手段）
62  リズム監視手段（監視分析手段）
65  外出監視手段（警報出力手段）
75  外出ボタン（操作手段）
102  度数算出手段
103  度数記憶手段
104  平均値算出手段
105  重み付け記憶手段
106  監視分析手段
【図１】
2006260524.tif 000003
【図２】
2006260524.tif 000004
【図３】
2006260524.tif 000005
【図４】
2006260524.tif 000006
【図５】
2006260524.tif 000007
【図６】
2006260524.tif 000008
【図７】
2006260524.tif 000009
【図８】
2006260524.tif 000010
【図９】
2006260524.tif 000011
【図１０】
2006260524.tif 000012
【図１１】
2006260524.tif 000013
【図１２】
2006260524.tif 000014
【図１３】
2006260524.tif 000015
【図１４】
2006260524.tif 000016
【図１５】
2006260524.tif 000017